【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
画像データの印刷をする印刷システムにおいて、
記憶手段から読み出した画像データに対してガンマ補正を行うガンマ補正手段、
該ガンマ補正された画像データの印刷をする印刷手段、及び、
前記ガンマ補正手段が該ガンマ補正に利用するガンマ補正テーブルを、前記印刷手段の出力特性の変化に応じて更新する更新手段を備え、
前記更新手段により前記ガンマ補正テーブルが更新された時点で前記ガンマ補正手段によりガンマ補正されている画像データであって前記印刷手段により印刷されていない画像データの元となった、前記記憶手段に記憶されている前記画像データを再び読み出して、該読み出した画像データに対して前記ガンマ補正手段により更新後の前記ガンマ補正テーブルを利用したガンマ補正を行って前記印刷手段により印刷する
ことを特徴とする印刷システム。
【請求項２】
前記更新手段により前記ガンマ補正テーブルが更新された時点で前記ガンマ補正手段によりガンマ補正されている画像データであって前記印刷手段により印刷されていない画像データを破棄することを特徴とする請求項１に記載の印刷システム。
【請求項３】
画像データの印刷をする印刷システムにおいて、
記憶手段から読み出した画像データに対してガンマ補正を行うガンマ補正手段、
該ガンマ補正された画像データの濃度調整を濃度情報に基づいて行う濃度調整手段、
該濃度調整された画像データに基づく露光を行うことで前記画像データの印刷をする印刷手段、並びに、
前記ガンマ補正手段が前記ガンマ補正に利用するガンマ補正テーブル及び前記印刷手段における露光量を決めるための前記濃度情報を、前記印刷手段の出力特性の変化に応じて更新する更新手段を備え、
前記更新手段により前記ガンマ補正テーブル及び前記濃度情報が更新された時点で前記濃度調整手段により濃度調整されているガンマ補正後の画像データであって前記印刷手段により印刷されていない画像データの元となった、前記記憶手段に記憶されている前記画像データを再び読み出して、該読み出した画像データに対して前記ガンマ補正手段による更新後の前記ガンマ補正テーブルを利用したガンマ補正及び前記濃度調整手段による更新後の前記濃度情報に基づく濃度調整を行って前記印刷手段により印刷する
ことを特徴とする印刷システム。
【請求項４】
前記更新手段により前記ガンマ補正テーブル及び前記濃度情報が更新された時点で前記濃度調整手段により濃度調整されているガンマ補正後の画像データであって前記印刷手段により印刷されていない画像データを破棄することを特徴とする請求項３に記載の印刷システム。
【請求項５】
前記濃度情報は最大濃度情報であることを特徴とする請求項３に記載の印刷システム。
【請求項６】
画像データの印刷をする印刷システムにおいて、
記憶手段から読み出した画像データに対してガンマ補正を行うガンマ補正手段と、
該ガンマ補正された画像データの濃度調整を濃度情報に基づいて行う濃度調整手段と、
該濃度調整された画像データに基づく露光を行うことで前記画像データの印刷をする印刷手段と、
前記ガンマ補正手段が前記ガンマ補正に利用するガンマ補正テーブル及び前記印刷手段における露光量を決めるための前記濃度情報を、前記印刷手段の出力特性の変化に応じて更新する更新手段とを備え、
前記濃度情報が一連の印刷ページの処理の途中で前記更新手段により更新されたときは、該更新が終了する前に前記濃度調整手段により濃度調整されたページのガンマ補正後の画像データであって前記印刷手段により印刷されていないページの画像データは、前記更新手段により更新される前の前記濃度情報を用いて前記印刷手段により印刷する
ことを特徴とする印刷システム。
【請求項７】
前記更新手段は、更新した前記ガンマ補正テーブル及び前記濃度情報を対応させるインデックスを前記ガンマ補正テーブル及び前記濃度情報に付与することを特徴とする請求項６に記載の印刷システム。
【請求項８】
前記濃度情報は最大濃度情報であることを特徴とする請求項６に記載の印刷システム。
【請求項９】
画像データに対してガンマ補正を行うガンマ補正手段をそれぞれが有する第１及び第２の装置を備えた印刷システムにおいて、
前記第１の装置は、さらに、
前記ガンマ補正手段がガンマ補正に利用するガンマ補正テーブルを更新する更新手段と、
前記更新手段により該ガンマ補正テーブルを更新したこと及び更新されたガンマ補正テーブルを前記第１の装置に通知する通知手段とを備え、
前記第２の装置は、さらに、
前記第１の装置から前記通知及び前記更新されたガンマ補正テーブルを受け取る受信手段と、
該装置が有する前記ガンマ補正手段によりガンマ補正を行った画像データを前記第１の装置に送信する送信手段とを備え、
前記更新されたガンマ補正テーブルを用いて前記ガンマ補正手段によりガンマ補正を行った画像データを前記送信手段により前記第１の装置に送信する
ことを特徴とする印刷システム。
【請求項１０】
前記第１の装置は、さらに、ガンマ補正を行った画像データを印刷する印刷手段を備え、
前記通知手段は、前記更新手段が前記印刷手段の出力特性の変化に応じて前記ガンマ補正テーブルを更新したときに該更新したこと及び前記更新されたガンマ補正テーブルを前記第２の装置に通知し、前記第２の装置が有する前記ガンマ補正手段に、該ガンマ補正手段によりガンマ補正された画像データの元の画像データに対して、前記更新されたガンマ補正テーブルを用いてガンマ補正を行わせる
ことを特徴とする請求項９に記載の印刷システム。
【請求項１１】
前記第２の装置は、さらに、前記元の画像データを記憶する手段を備えることを特徴とする請求項１０に記載の印刷システム。
【請求項１２】
印刷手段により画像データの印刷をする方法において、
記憶手段に記憶されている画像データを読み出すステップ、
該読み出した画像データに対してガンマ補正テーブルを利用してガンマ補正を行うステップ、
前記ガンマ補正テーブルを前記印刷手段の出力特性の変化に応じて更新するステップ、
前記ガンマ補正テーブルが更新された時点でガンマ補正されている画像データの元となった、前記記憶手段に記憶されている前記画像データを再び読み出すステップ、
該読み出した画像データに対して更新後のガンマ補正テーブルを利用してガンマ補正を行うステップ、及び、
該ガンマ補正された画像データの印刷を前記印刷手段により行うことで前記画像データの印刷をするステップ
を含むことを特徴とする方法。
【請求項１３】
印刷手段により画像データの印刷をする方法において、
記憶手段に記憶されている画像データを読み出すステップ、
該読み出した画像データに対してガンマ補正テーブルを利用してガンマ補正を行うステップ、
該ガンマ補正された画像データの濃度調整を濃度情報に基づいて行うステップ、
前記ガンマ補正テーブル及び前記印刷手段における露光量を決めるための前記濃度情報を、前記印刷手段の出力特性の変化に応じて更新するステップ、
前記ガンマ補正テーブル及び前記濃度情報が更新された時点で濃度調整されているガンマ補正された画像データの元となった、前記記憶手段に記憶されている前記画像データを再び読み出すステップ、
該読み出した画像データに対して更新後の前記ガンマ補正テーブルを利用してガンマ補正を行うステップ、
該ガンマ補正された画像データの濃度調整を、更新後の前記濃度情報に基づいて行うステップ、並びに、
該濃度調整された画像データに基づく露光を前記印刷手段により行うことで前記画像データの印刷をするステップ
を含むことを特徴とする方法。
【請求項１４】
印刷手段により画像データの印刷をする方法において、
記憶手段に記憶されている画像データを読み出すステップ、
該読み出した画像データに対してガンマ補正テーブルを利用してガンマ補正を行うステップ、
該ガンマ補正された画像データの濃度調整を濃度情報に基づいて行う調整ステップ、
前記ガンマ補正テーブル及び前記印刷手段における露光量を決めるための前記濃度情報を、前記印刷手段の出力特性の変化に応じて更新する更新ステップ、並びに、
前記濃度情報が一連の印刷ページの処理の途中で前記更新手段により更新されたときは、該更新が終了する前に前記調整ステップで濃度調整されたページのガンマ補正後の画像データを、前記更新ステップで更新される前の前記濃度情報を用いて前記印刷手段により印刷するステップ
を含むことを特徴とする方法。
【請求項１５】
画像データに対してガンマ補正を行うガンマ補正手段をそれぞれが有する第１及び第２の装置を備えた印刷システムにおける方法において、
前記第１の装置において、前記ガンマ補正手段がガンマ補正に利用するガンマ補正テーブルを更新するステップ、
前記第１の装置において、前記ステップで該ガンマ補正テーブルを更新したこと及び更新されたガンマ補正テーブルを前記第１の装置に通知するステップ、
前記第２の装置において、前記第１の装置から前記通知及び前記更新されたガンマ補正テーブルを受け取るステップ、
前記第２の装置において、該装置が有する前記ガンマ補正手段により前記更新されたガンマ補正テーブルを用いて画像データにガンマ補正を行うステップ、並びに、
前記第２の装置において、該ガンマ補正を行った画像データを前記第１の装置に送信するステップ
を含むことを特徴とする方法。
【請求項１６】
前記第１の装置は、ガンマ補正を行った画像データを印刷する印刷手段を備え、
前記通知するステップにおいて、前記更新するステップで前記印刷手段の出力特性の変化に応じて前記ガンマ補正テーブルを更新したときに該更新したこと及び前記更新されたガンマ補正テーブルを前記第２の装置に通知し、前記第２の装置が有する前記ガンマ補正手段に、該ガンマ補正手段よりガンマ補正された画像データの元の画像データに対して、前記更新されたガンマ補正テーブルを用いてガンマ補正を行わせることを特徴とする請求項１５に記載の方法。
【請求項１７】
画像データの印刷をする印刷装置において、
記憶手段から読み出した画像データに対してガンマ補正を行うガンマ補正手段、
該ガンマ補正された画像データの印刷をする印刷手段、及び、
前記ガンマ補正手段が該ガンマ補正に利用するガンマ補正テーブルを、前記印刷手段の出力特性の変化に応じて更新する更新手段を備え、
前記更新手段により前記ガンマ補正テーブルが更新された時点で前記ガンマ補正手段によりガンマ補正されている画像データであって前記印刷手段により印刷されていない画像データの元となった、前記記憶手段に記憶されている前記画像データを再び読み出して、該読み出した画像データに対して前記ガンマ補正手段により更新後の前記ガンマ補正テーブルを利用したガンマ補正を行って前記印刷手段により印刷する
ことを特徴とする印刷装置。
【請求項１８】
画像データの印刷をする印刷装置において、
記憶手段から読み出した画像データに対してガンマ補正を行うガンマ補正手段、
該ガンマ補正された画像データの濃度調整を濃度情報に基づいて行う濃度調整手段、
該濃度調整された画像データに基づく露光を行うことで前記画像データの印刷をする印刷手段、並びに、
前記ガンマ補正手段が前記ガンマ補正に利用するガンマ補正テーブル及び前記印刷手段における露光量を決めるための前記濃度情報を、前記印刷手段の出力特性の変化に応じて更新する更新手段を備え、
前記更新手段により前記ガンマ補正テーブル及び前記濃度情報が更新された時点で前記濃度調整手段により濃度調整されているガンマ補正後の画像データであって前記印刷手段により印刷されていない画像データの元となった、前記記憶手段に記憶されている前記画像データを再び読み出して、該読み出した画像データに対して前記ガンマ補正手段による更新後の前記ガンマ補正テーブルを利用したガンマ補正及び前記濃度調整手段による更新後の前記濃度情報に基づく濃度調整を行って前記印刷手段により印刷する
ことを特徴とする印刷装置。
【請求項１９】
画像データの印刷をする印刷装置において、
記憶手段から読み出した画像データに対してガンマ補正を行うガンマ補正手段と、
該ガンマ補正された画像データの濃度調整を行う濃度情報に基づいて濃度調整手段と、
該濃度調整された画像データに基づく露光を行うことで前記画像データの印刷をする印刷手段と、
前記ガンマ補正手段が前記ガンマ補正に利用するガンマ補正テーブル及び前記印刷手段における露光量を決めるための前記濃度情報を、前記印刷手段の出力特性の変化に応じて更新する更新手段とを備え、
前記濃度情報が一連の印刷ページの処理の途中で前記更新手段により更新されたときは、該更新が終了する前に前記濃度調整手段により濃度調整されたページのガンマ補正後の画像データであって前記印刷手段により印刷されていないページの画像データは、前記更新手段により更新される前の前記濃度情報を用いて前記印刷手段により印刷する
ことを特徴とする印刷装置。